(57)【特許請求の範囲】
【請求項１】
所定の方向に移動しながら帯電され露光を受けることにより静電潜像が形成される像担持体表面に形成された静電潜像をトナーで現像してトナー像を得、該トナー像を最終的に記録媒体に転写および定着することにより、該記録媒体上に定着トナー像からなる画像を形成する画像形成装置において、
前記像担持体に対向して配置され、該像担持体に付与する電荷を発生する電荷付与部材と、前記像担持体と前記電荷付与部材との間に配置され、該電荷付与部材による該像担持体への帯電を制御する帯電制御部材とを有する帯電器、
前記電荷付与部材および前記帯電制御部材のうちの少なくとも一方の部材に接して移動し該部材をクリーニングするクリーニング部材、
前記クリーニング部材を移動させて該クリーニング部材に前記少なくとも一方の部材をクリーニングさせるクリーニング制御部、
湿度を検出する湿度センサ、
記録媒体上に転写されたトナー像を加熱して該記録媒体上に定着する定着器、
前記定着器の温度を検出する温度センサ、および
前記湿度センサによる検出結果が所定値以上の湿度を表し、かつ、前記温度センサによる検出結果が所定値未満の温度を表している場合には、前記クリーニング部材の動作を禁止し、前記湿度センサによる検出結果が所定値未満の湿度を表すか、または、前記温度センサによる検出結果が前記所定値以上の温度を表す場合には、前記クリーニング部材の動作を許容するクリーニング動作許否部を備えたことを特徴とする画像形成装置。
【請求項２】
所定の方向に移動しながら帯電され露光を受けることにより静電潜像が形成される像担持体表面に形成された静電潜像をトナーで現像してトナー像を得、該トナー像を最終的に記録媒体に転写および定着することにより、該記録媒体上に定着トナー像からなる画像を形成する画像形成装置において、
前記像担持体に対向して配置され、該像担持体に付与する電荷を発生する電荷付与部材と、前記像担持体と前記電荷付与部材との間に配置され、該電荷付与部材による該像担持体への帯電を制御する帯電制御部材とを有する帯電器、
前記電荷付与部材および前記帯電制御部材のうちの少なくとも一方の部材に接して移動し該部材をクリーニングするクリーニング部材、
前記クリーニング部材を移動させて該クリーニング部材に前記少なくとも一方の部材をクリーニングさせるクリーニング制御部、
湿度を検出する湿度センサ、
この画像形成装置への電源投入からの経過時間を計時するタイマ、および
前記湿度センサによる検出結果が所定値以上の湿度を表し、かつ、前記タイマによる計時結果が所定時間以内を表している場合には、前記クリーニング部材の動作を禁止し、前記湿度センサによる検出結果が所定値未満の湿度を表すか、または、前記タイマによる計時結果が前記所定時間以外である場合には、前記クリーニング部材の動作を許容するクリーニング動作許否部を備えたことを特徴とする画像形成装置。
【発明の詳細な説明】
【技術分野】
【０００１】
本発明は、像担持体に対向して配置され、この像担持体に付与する電荷を発生する電荷付与部材と、この像担持体と電荷付与部材との間に配置され、電荷付与部材によるこの像担持体への帯電を制御する帯電制御部材とを有する帯電器を備えた画像形成装置に関する。
【背景技術】
【０００２】
従来より、所定の方向に移動しながら帯電され露光を受けることにより静電潜像が形成される像担持体表面に形成された静電潜像をトナーで現像してトナー像を得、このトナー像を最終的に記録媒体に転写および定着することにより、記録媒体上に定着トナー像からなる画像を形成する画像形成装置が知られている。
【０００３】
この様な画像形成装置のなかには、上記像担持体に対向して配置され、この像担持体に付与する電荷を発生する電荷付与部材と、この像担持体とこの電荷付与部材との間に配置され、電荷付与部材による像担持体への帯電を制御する帯電制御部材とを有する帯電器を備え、この帯電器により像担持体表面を帯電するものがある。
【０００４】
上述したような帯電器を備える画像形成装置については、プリント枚数がある値に到達するたびにこれら構成部材のクリーニングを行う提案がなされている（例えば、特許文献１参照）。
【０００５】
ところで、電源オフの状態のまま長時間が経過した画像形成装置では、帯電器の各構成部材に錆や放電生成物などが付着している可能が高いことから、電源オン後、ジョブ開始前にこれら部材のクリーニングを済ませておくことが考えられる。
【特許文献１】特開平３−２７４０６７号公報
【発明の開示】
【発明が解決しようとする課題】
【０００６】
ところが、放電生成物は水分をふくみやすい特性を有することから、このクリーニングを高湿下で行うとすると、このクリーニングにより感光体上に落下した放電生成物は水分をふくむことで低抵抗となることから、転写時にその部分のトナー像が記録用紙に転写されず、いわゆる白抜けが発生して画質が低下するおそれがある。
【０００７】
一方、この画像形成装置が低湿の環境下におかれている場合には、ジョブ開始前にこれら部材の清掃を行ったとしても、この清掃により感光体表面に落下した放電生成物がふくむ水分は少ないことから、いゆる白抜けの発生は見られないものの、稼働時間が長くなるにつれて、帯電不良が原因と見られるスジが画像に現れるとの報告がなされている。
【０００８】
本発明は、上記事情に鑑み、画質の低下の抑制が図られた画像形成装置を提供することを目的とする。
【課題を解決するための手段】
【０００９】
上記目的を達成するための本発明の画像形成装置のうちの第１の画像形成装置は、
所定の方向に移動しながら帯電され露光を受けることにより静電潜像が形成される像担持体表面に形成された静電潜像をトナーで現像してトナー像を得、このトナー像を最終的に記録媒体に転写および定着することにより、この記録媒体上に定着トナー像からなる画像を形成する画像形成装置において、
上記像担持体に対向して配置され、この像担持体に付与する電荷を発生する電荷付与部材と、上記像担持体と上記電荷付与部材との間に配置され、この電荷付与部材によるこの像担持体への帯電を制御する帯電制御部材とを有する帯電器、
上記電荷付与部材および上記帯電制御部材のうちの少なくとも一方の部材に接して移動しこの部材をクリーニングするクリーニング部材、
上記クリーニング部材を移動させてこのクリーニング部材に上記少なくとも一方の部材をクリーニングさせるクリーニング制御部、
湿度を検出する湿度センサ、
記録媒体上に転写されたトナー像を加熱してこの記録媒体上に定着する定着器、
上記定着器の温度を検出する温度センサ、および
上記湿度センサによる検出結果が所定値以上の湿度を表し、かつ、上記温度センサによる検出結果が所定値未満の温度を表している場合には、上記クリーニング部材の動作を禁止し、上記湿度センサによる検出結果が所定値未満の湿度を表すか、または、上記温度センサによる検出結果が上記所定値以上の温度を表す場合には、上記クリーニング部材の動作を許容するクリーニング動作許否部を備えたことを特徴とする。
【００１０】
本発明の第１の画像形成装置では、装置の電源投入からさほど時間が経過していないために電源投入による装置内温度の上昇に伴う除湿効果が未だ見込めない可能性が高い、定着器の温度が所定値未満で、かつ、今現在、所定値以上の湿度環境下にある場合には、この装置が長時間に及ぶ電源オフ期間を経たことで、多量の水分を含んだ放電生成物が大量に帯電器に付着していると仮定して、クリーニングの実施によってこれら放電生成物が像担持体表面に落下しないようにクリーニングの実施を禁止し、放電生成物の水分含有量が少ないと考えられる、湿度が所定値未満の場合、または、電源投入による装置内温度の上昇に伴う除湿効果が見込める、定着器の温度が所定値以上の場合にはクリーニングの実施を許容する。したがって、本発明の第１の画像形成装置によれば、多量の水分を含む放電生成物が像担持体表面に落下することによる、いわゆる白抜けの発生を抑え、画質の低下を抑制することができる。
【００１１】
上記目的を達成するための本発明の画像形成装置のうちの第２の画像形成装置は、
所定の方向に移動しながら帯電され露光を受けることにより静電潜像が形成される像担持体表面に形成された静電潜像をトナーで現像してトナー像を得、このトナー像を最終的に記録媒体に転写および定着することにより、この記録媒体上に定着トナー像からなる画像を形成する画像形成装置において、
上記像担持体に対向して配置され、この像担持体に付与する電荷を発生する電荷付与部材と、上記像担持体と上記電荷付与部材との間に配置され、この電荷付与部材によるこの像担持体への帯電を制御する帯電制御部材とを有する帯電器、
上記電荷付与部材および上記帯電制御部材のうちの少なくとも一方の部材に接して移動しこの部材をクリーニングするクリーニング部材、
上記クリーニング部材を移動させてこのクリーニング部材に上記少なくとも一方の部材をクリーニングさせるクリーニング制御部、
湿度を検出する湿度センサ、
この画像形成装置への電源投入からの経過時間を計時するタイマ、および
上記湿度センサによる検出結果が所定値以上の湿度を表し、かつ、上記タイマによる計時結果が所定時間以内を表している場合には、上記クリーニング部材の動作を禁止し、上記湿度センサによる検出結果が所定値未満の湿度を表すか、または、上記タイマによる計時結果が上記所定時間以外である場合には、上記クリーニング部材の動作を許容するクリーニング動作許否部を備えたことを特徴とする。
【００１２】
本発明の第２の画像形成装置では、電源投入による装置内温度の上昇に伴う除湿効果が未だ見込めない可能性が高い、電源投入から所定時間以内の場合、かつ、今現在、所定値以上の湿度環境下にある場合には、この装置が長時間に及ぶ電源オフ期間を経たことで、多量の水分を含んだ放電生成物が大量に帯電器に付着していると仮定して、クリーニングの実施によってこれら放電生成物が像担持体表面に落下しないようにクリーニングの実施を禁止し、放電生成物の水分含有量が少ないと考えられる、湿度が所定値未満の場合、または、電源投入による装置内温度の上昇に伴う除湿効果が見込める、電源投入からの時間が所定時間以上である場合にはクリーニングの実施を許容する。したがって、本発明の第２の画像形成装置によれば、多量の水分を含む放電生成物が像担持体表面に落下することによる、いわゆる白抜けの発生を抑え、画質の低下を抑制することができる。
【００１３】
上記目的を達成するための本発明の画像形成装置のうちの第３の画像形成装置は、
所定の方向に移動しながら帯電され露光を受けることにより静電潜像が形成される像担持体表面に形成された静電潜像をトナーで現像してトナー像を得、このトナー像を最終的に記録媒体に転写および定着することにより、この記録媒体上に定着トナー像からなる画像を形成する画像形成装置において、
上記像担持体に対向して配置され、この像担持体に付与する電荷を発生する電荷付与部材と、上記像担持体と上記電荷付与部材との間に配置され、この電荷付与部材によるこの像担持体への帯電を制御する帯電制御部材とを有する帯電器、
上記電荷付与部材および上記帯電制御部材のうちの少なくとも一方の部材に接して移動しこの部材をクリーニングするクリーニング部材、
上記クリーニング部材を移動させてこのクリーニング部材に上記少なくとも一方の部材をクリーニングさせるクリーニング制御部、および
湿度を検出する湿度センサを備え、
上記クリーニング制御部は、上記湿度センサによる検出結果が所定値未満の湿度を表す場合には、検出結果が所定値以上の湿度を表す場合よりも、上記クリーニング部材よるクリーニング部材の移動頻度を増加させるものであることを特徴とする。
【００１４】
像担持体の抵抗値は低湿になればなるほど高くなることから、像担持体に所定量の電荷を付与するためには帯電器の出力を高くする必要がある。放電生成物は帯電器の出力が高ければ高いほど、発生しやすく、帯電器に付着しやすくなる。したがって、本発明の第３の画像形成装置では、湿度が所定値未満である場合のクリーニング部材の移動頻度を、湿度が所定値以上である場合に比べて増加させている。したがって、本発明の第３の画像形成装置によれば、帯電器に付着する放電生成物による帯電不良を抑え、画質の低下を抑制することができる。
【発明の効果】
【００１５】
本発明の画像形成装置によれば、画質の低下を抑制することができる。
【発明を実施するための最良の形態】
【００１６】
以下、本発明の実施形態について説明する。
【００１７】
図１は、本発明の第１の画像形成装置の一実施形態を示す概略図である。
【００１８】
図１に示す、本実施形態のプリンタ１は、帯電器１１により所定の電荷が付与された、矢印Ａの向きに回転する感光体１０の表面に、送信されてきた画像データに基づいて露光器１２で生成した露光光を照射することで静電潜像を形成し、形成した静電潜像を現像器１３に収容したトナーで現像し、この現像により得られたトナー像を、用紙トレイ１６から用紙搬送装置１６ａにより引き出され矢印Ｂに向きに搬送されてきた記録用紙上に転写器１４によって転写し、定着器１５により定着することにより記録用紙上に画像を形成するモノクロ画像専用機である。
【００１９】
図１には、帯電器１１の構成要素である、感光体１０に付与する電荷を発生する、金メッキが施されたタングステンワイヤ１１１と、感光体１０とタングステンワイヤ１１１との間に配置され、タングステンワイヤ１１１による感光体１０への帯電を制御するステンレス製のメッシュ１１２と、カバー１１３と、タングステンワイヤ用の第１クリーナ１１１ａと、メッシュ用の第２クリーナ１１２ａとが示されている。
【００２０】
また、図１には、定着器１５に定着器１５１の温度を検出する温度センサ１５１が配設されている様子が示されている。尚、感光体１０は、図１の向こう側から手前側の方向に延在する部材であることから、これらタングステンワイヤ１１１、メッシュ１１２、およびカバー１１３も図１の向こう側から手前側の方向に延在している。
【００２１】
図２および図３は、図１に示す帯電器の概略構成図である。
【００２２】
図２に示すように、帯電器１１は、図１に示す構成要素の他に、第１クリーナ１１１ａが第１アーム１１４１を介して、第２クリーナ１１２ａが第２アーム１１４２を介して固定されたフレーム１１４と、このフレーム１１４に取りつけられた、回転軸１１５ａを有するモータ１１５と、このモータ１１５の回転軸１１５ａに取りつけられたピニオン１１５１に噛合する、帯電器１１のカバーの上面に配設されたラック１１６とを構成要素としている。尚、図２には、フレーム１１４に配設され、帯電器周囲の湿度を検出する湿度センサ１７、および、モータ１１５の電気コード１１５ｂも示されている。
【００２３】
図３には、図２に示す矢印Ｃの向きにフレーム１１４を見た場合が示されており、ここには、モータ１１５が回転することで、第１クリーナ１１１ａおよび第２クリーナ１１２ａが固定されたフレーム１１４が図３における左右方向に移動できるように、モータ１１５の回転軸１１５ａに取りつけられているピニオン１１５ａとラック１１６とが噛合している様子が示されている。
【００２４】
このプリンタ１では、モータ１１５を回転させることで、第１クリーナ１１１ａおよび第２クリーナ１１２ａが固定されたフレーム１１４が図３における左右方向に移動することで、タングステンワイヤ１１１およびメッシュ１１２に付着した放電生成物等のクリーニングができるようになっている。尚、図３には、図示の煩雑さを避けるため、カバー１１３の図示は省略している。また、フレーム１１４は、不図示のガイド部材に挟まれており、これにより、フレーム１１４は、モータ１１５の回転駆動により図３における左右方向にスムーズに移動可能となっている。
【００２５】
図４は、本実施形態のプリンタの制御ブロック図である。
【００２６】
図４には、このプリンタ１全体の制御を行う制御部２０、このプリンタ１における通算のプリント枚数をカウントするカウンタ２１、帯電器１５の構成要素であるモータ１１５の回転を制御するモータ制御部２２、帯電器１１の周囲の湿度を検出する湿度センサ１７、および、定着器１５の温度を検出する温度センサ１５１が示されている。尚、図４には、モータ制御部２２と不図示のモータ１１５とを繋ぐ電気コード１１５ｂが示されている。
【００２７】
本実施形態のプリンタ１では、湿度センサ１７による検出結果が相対湿度（ＲＨ）が６５％以上の湿度を表し、かつ、温度センサ１５１による検出結果が５０℃未満の温度を表している場合には、モータ１５に対する動作指示はなされないようになっている。これは、プリンタの電源投入からさほど時間が経過していないために電源投入によるプリンタ内温度の上昇に伴う除湿効果が未だ見込めない可能性が高い、定着器１５の温度が５０℃未満で、かつ、今現在、ＲＨ６５％以上の湿度環境下にある場合には、この装置が長時間に及ぶ電源オフ期間を経たことで、多量の水分を含んだ放電生成物が大量に帯電器に付着していると仮定して、クリーニングの実施によってこれら放電生成物が感光体表面に落下しないようにクリーニングの実施を禁止し、放電生成物の水分含有量が少ないと考えられる、湿度がＲＨ６５％未満の場合、または、電源投入によるプリンタ内温度の上昇に伴う除湿効果が見込める、定着器１５の温度が５０℃以上の場合にはクリーニングの実施を許容する。したがって、本実施形態のプリンタ１によれば、多量の水分を含む放電生成物が感光体上に落下することによる、いわゆる白抜けの発生を抑え、画質の低下を抑制することができる。
【００２８】
図５は、本実施形態のプリンタの制御部において、電源投入により実行されるルーチンのフローチャートである。
【００２９】
図５に示すステップＳ１では、湿度センサ１７による検出結果が６５％ＲＨ以上か否かを判定し、６５％ＲＨ以上であると判定すると、ステップＳ２に進み、ステップＳ２では、温度センサ１５１による検出結果が５０℃以上か否かを判定する。ステップＳ１において、６５％ＲＨ未満であると判定すると、ステップＳ３に進む。ステップＳ２において、５０℃未満であると判定すると、ステップＳ１に戻り、５０℃以上であると判定すると、ステップＳ３に進み、前回のクリーニングの実施からのプリント枚数が１００枚を越えているか否かを判定する。ステップＳ３において、１００枚未満であると判定すると、ステップＳ１に戻り、１００枚以上であるとすると、ステップＳ４に進み、クリーニングを実施し、その後、ステップＳ１に戻る。
【００３０】
尚、以上に説明した実施形態では、プリンタの電源投入からさほど時間が経過していないために電源投入によるプリンタ内温度の上昇に伴う除湿効果が未だ見込めない可能性が高いとする定着器温度を５０℃未満とし、画質を低下させる水分量を放電生成物が含む湿度を６５％ＲＨ以上としている例を挙げて説明したが、本発明は、プリンタの電源投入からさほど時間が経過していないために電源投入によるプリンタ内温度の上昇に伴う除湿効果が未だ見込めない可能性が高いと判定できる定着器温度であれば、５０℃未満に限るものではなく、また、画質を低下させる水分量が放電生成物に含まれるのであれば、湿度が６５％ＲＨ以上に限るものでもない。
【００３１】
次に、本発明の第２の画像形成装置の一実施形態について説明する。
【００３２】
本実施形態のプリンタと、第１の画像形成装置の一実施形態であるプリンタ１との間の相違点は、プリンタ１では、湿度センサ１７による検出結果が相対湿度（ＲＨ）が６５％以上の湿度を表し、かつ、温度センサ１５１による検出結果が５０℃未満の温度を表している場合にモータ１５に対する動作指示はなされないようになっているのに対し、本実施形態のプリンタでは、湿度センサ１７による検出結果が相対湿度（ＲＨ）が６５％以上の湿度を表し、かつ、タイマにより計時した電源投入からの経過時間が所定時間未満の場合にモータ１５に対する動作指示はなされないようになっている点であり、本実施形態のプリンタの概略構成図、および、本実施形態のプリンタに備えられている帯電器の概略構成図は、図１および図２に示す図と同じ図となるので図示および説明は省略する。
【００３３】
図６は、本実施形態のプリンタの制御ブロック図である。
【００３４】
図６に示す、本実施形態のプリンタの制御ブロック図と、プリンタ１の、図４に示す制御ブロック図との間の相違点は、図４に示す温度センサ１５１が、図６ではタイマ２３に置き換えられている点である。
【００３５】
本実施形態のプリンタでは、このタイマ２３によって電源投入からの経過時間を計時しており、今現在、６５％ＲＨ以上の湿度環境下にあり、かつ、電源投入によるプリンタ内温度の上昇に伴う除湿効果が未だ見込めない可能性が高い、電源投入から１０分以内の場合には、このプリンタが長時間に及ぶ電源オフ期間を経たことで、多量の水分を含んだ放電生成物が大量に帯電器に付着していると仮定して、クリーニングの実施によってこれら放電生成物が感光体表面に落下しないようにクリーニングの実施を禁止し、放電生成物の水分含有量が少ないと考えられる、湿度が６５％ＲＨ未満の場合、または、電源投入によるプリンタ内温度の上昇に伴う除湿効果が見込める、電源投入からの時間が１０分以上である場合にはクリーニングの実施を許容する。したがって、本実施形態のプリンタによれば、多量の水分を含む放電生成物が感光体表面に落下することによる、いわゆる白抜けの発生を抑え、画質の低下を抑制することができる。
【００３６】
図７は、本実施形態のプリンタの制御部において、電源投入により実行されるルーチンのフローチャートである。
【００３７】
図７に示すステップＳ１１では、湿度センサ１７による検出結果が６５％ＲＨ以上か否かを判定し、６５％ＲＨ以上であると判定すると、ステップＳ１２に進み、ステップＳ１２では、タイマ２３による計時結果が１０分以上か否かを判定する。ステップＳ１１において、６５％ＲＨ未満であると判定すると、ステップＳ１３に進む。ステップＳ１２において、１０分未満であると判定すると、ステップＳ１１に戻り、１０分以上であると判定すると、ステップＳ１３に進み、前回のクリーニングの実施からのプリント枚数が１００枚を越えているか否かを判定する。ステップＳ１３において、１００枚未満であると判定すると、ステップＳ１１に戻り、１００枚以上であるとすると、ステップＳ４に進み、クリーニングを実施し、その後、ステップＳ１１に戻る。
【００３８】
尚、以上に説明した実施形態では、電源投入によるプリンタ内温度の上昇に伴う除湿効果が未だ見込めない可能性が高いとするタイマ時間を１０分未満とし、画質を低下させる水分量を放電生成物が含む湿度を６５％ＲＨ以上としている例を挙げて説明したが、本発明は、電源投入によるプリンタ内温度の上昇に伴う除湿効果が未だ見込めない可能性が高いと判定できるタイマ時間であれば、１０分未満に限るものではなく、また、画質を低下させる水分量が放電生成物に含まれるのであれば、湿度が６５％ＲＨ以上に限るものでもない。
【００３９】
最後に、本発明の第３の画像形成装置の実施形態について説明する。
【００４０】
本実施形態のプリンタの概略構成図、本実施形態のプリンタに備えられている帯電器の概略構成図、および、本実施形態のプリンタの制御ブロック図は、プリンタ１の図１、図２、および図４と同じ図となるので、これらの図示および説明は省略する。
【００４１】
感光体の抵抗値は低湿になればなるほど高くなることから、所定の電荷を感光体表面に付与するには、高湿の時に比べ帯電器の出力を高くする必要があり、放電生成物は帯電器の出力が高ければ高いほど発生しやすくなり、また、帯電器に付着しやすくなる。
【００４２】
本実施形態のプリンタでは、湿度が４０％ＲＨ未満である場合のクリーニングの頻度を、湿度が４０％ＲＨ以上である場合に比べて増加させることで、帯電器に付着する放電生成物による帯電不良を抑え、画質の低下を抑制している。
【００４３】
図８は、本実施形態のプリンタに電源投入がなされると実行されるルーチンのフローチャートである。
【００４４】
図８に示すステップＳ２１では、湿度センサ１７による検出結果が、４０％ＲＨ未満か否かを判定し、ステップＳ２１において、４０％ＲＨ未満であると判定すると、ステップＳ２２に進み、前回のクリーニングの実施からのプリント枚数が５０枚を越えているか否かを判定する。ステップＳ２１において、４０％ＲＨ以上であると判定すると、ステップＳ２３に進み、前回のクリーニングの実施からのプリント枚数が１００枚を越えているか否かを判定する。ステップＳ２２において、プリント枚数が５０枚を越えていないと判定すると、ステップＳ２１に戻り、プリント枚数が５０枚を越えていると判定すると、ステップＳ２４に進み、クリーニングの実施を指示する。その後、ステップＳ２１に戻る。ステップＳ２３において、プリント枚数が１００枚を越えていないと判定すると、ステップＳ２１に戻り、プリント枚数が１００枚を越えていると判定すると、ステップＳ２４に進む。
【００４５】
尚、以上に説明した実施形態では、像担持体の抵抗値が、画質を低下させるほどの放電生物を帯電器に付着させる出力を帯電器に課す湿度を４０％ＲＨ未満としている例を挙げて説明したが、本発明は、画質を低下させるほどの放電生物を帯電器に付着させる出力を帯電器に課す湿度であればこれに限るものではない。
【図面の簡単な説明】
【００４６】
【図１】本発明の第１の画像形成装置の一実施形態を示す概略図である。
【図２】図１に示す帯電器の概略構成図である。
【図３】図１に示す帯電器の概略構成図である。
【図４】本実施形態のプリンタの制御ブロック図である。
【図５】本実施形態のプリンタの制御部において、電源投入により実行されるルーチンのフローチャートである。
【図６】本実施形態のプリンタの制御ブロック図である。
【図７】本実施形態のプリンタの制御部において、電源投入により実行されるルーチンのフローチャートである。
【図８】本実施形態のプリンタに電源投入がなされると実行されるルーチンのフローチャートである。
【符号の説明】
【００４７】
１  プリンタ
１１  帯電器
１１１  タングステンワイヤ
１１１ａ  第１クリーナ
１１２  メッシュ
１１２ａ  第２クリーナ
１１３  カバー
１１４  フレーム
１１５  モータ
１１５１  ピニオン
１１５ａ  回転軸
１１５ｂ  電気コード
１１６  ラック
１５  定着器
１５１  温度センサ
１７  湿度センサ
２０  制御部
２１  カウンタ
２２  モータ制御部
２３  タイマ
【図１】
0004742795.tif 000002
【図２】
0004742795.tif 000003
【図３】
0004742795.tif 000004
【図４】
0004742795.tif 000005
【図５】
0004742795.tif 000006
【図６】
0004742795.tif 000007
【図７】
0004742795.tif 000008
【図８】
0004742795.tif 000009